【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
画像（２０）の現在ブロック（４０）のためのサポートされた分割パターンのうちの１つをシグナリングするビットストリーム（３０）を復号するように構成される復号器（５０）であって、前記復号器は、
前記サポートされた分割パターンのうちの前記シグナリングされた１つが、２つ以上の更なるブロック（５０、６０）への前記現在ブロック（４０）の細分化を特定する場合、    符号化順（７０）で前記更なるブロックのうちの１番目の更なるブロック以外の全ての更なるブロックに関して、
前記各更なるブロック（６０）についての符号化パラメータ候補のセットから、
前記各更なるブロック（６０）と統合されるときに、前記サポートされた分割パターンのうちの１つとなるであろう前記更なるブロックのいずれかと関連した符号化パラメータと同じである符号化パラメータを有する符号化パラメータ候補を除くように構成され、  前記復号器（５０）は、前記各更なるブロックに隣接し、前記現在ブロックの外側および内側に位置する、前に復号されたブロックと関連した前記符号化パラメータに、少なくとも部分的に、基づいて、それぞれ、前記各更なるブロックについての符号化パラメータ候補の前記セットを決定するように構成され、かつ、符号化パラメータ候補の一定数が、前記決定により到達しない場合、符号化パラメータ候補の前記セットにおける符号化パラメータ候補の数が前記一定数であるように補助符号化パラメータ候補とともに符号化パラメータ候補の前記セットを完了するように構成されることを特徴とする、復号器。
【請求項２】
前記復号器（５０）は、前記補助符号化パラメータ候補が、時間的に隣接し前に符号化された画像の時間的に隣接するパーティションのパラメータを含むように構成されていることを特徴とする、請求項１に記載の復号器。
【請求項３】
前記復号器（５０）は、前記補助符号化パラメータ候補が、前記それぞれの更なるブロックに隣接する以前に復号されたブロックに関連した前記符号化パラメータの組合せにより得られた結合符号化パラメータ候補を含むように構成されていることを特徴とする、請求項１または２に記載の復号器。
【請求項４】
前記復号器（５０）は、前記補助符号化パラメータ候補が、ゼロ動きベクトルを含むように構成されていることを特徴とする、請求項１〜３のいずれかに記載の復号器。
【請求項５】
前記復号器は、符号化パラメータ候補の前記セットにおける符号化パラメータ候補の前記数が１より大きいことに依存して、前記ビットストリーム（３０）が、符号化パラメータ候補のうちの前記一定数のどれが統合するために使われるかを特定するシンタックス要素を含むことを予想するように構成されることを特徴とする、請求項１〜請求項４のいずれかに記載の復号器。
【請求項６】
前記符号化パラメータ候補は、予測パラメータであり、前記復号器は、符号化パラメータ候補の前記一定数へのインデックスとして前記シンタックス要素を使用するように構成されることを特徴とする、請求項２〜請求項５のいずれかに記載の復号器。
【請求項７】
前記復号器は、前記サポートされた分割パターンのうちの前記シグナリングされた１つが、２つの更なるブロックへの前記ブロックの細分化を特定する場合に、符号化順で前記更なるブロックのうちの２番目の更なるブロックに関して、前記２番目の更なるブロックについての符号化パラメータ候補の前記セットから、符号化順で前記更なるブロックのうちの前記１番目の更なるブロックと関連した符号化パラメータと同じである符号化パラメータを有する符号化パラメータ候補を除くように構成されることを特徴とする、請求項１〜請求項６のいずれかに記載の復号器。
【請求項８】
前記画像は、付加情報として深度マップと関連付けられていることを特徴とする、請求項１に記載の復号器。
【請求項９】
情報サンプルの前記配列は、互いに独立して符号化された前記画像の異なる平面に関連した前記サンプル配列の１つであることを特徴とする請求項１に記載の復号器。
【請求項１０】
画像（２０）の現在ブロック（４０）のためのサポートされた分割パターンのうちの１つをシグナリングするビットストリーム（３０）を復号するための方法であって、前記方法は、
前記サポートされた分割パターンのうちの前記シグナリングされた１つが、２つ以上の更なるブロック（５０、６０）への前記現在ブロック（４０）の細分化を特定する場合、
符号化順（７０）で前記更なるブロックのうちの１番目の更なるブロック以外の全ての更なるブロックに関して、
前記各更なるブロック（６０）についての符号化パラメータ候補のセットから、
前記各更なるブロック（６０）と統合されるときに、前記サポートされた分割パターンのうちの１つとなるであろう前記更なるブロックのいずれかと関連した符号化パラメータと同じである符号化パラメータを有する符号化パラメータ候補を除くことを含み、
前記方法は、前記各更なるブロックに隣接し、前記現在ブロックの外側および内側に位置する、前に復号されたブロックと関連した前記符号化パラメータに、少なくとも部分的に、基づいて、それぞれ、前記各更なるブロックについての符号化パラメータ候補の前記セットを決定し、かつ、符号化パラメータ候補の一定数が、前記決定により到達しない場合、符号化パラメータ候補の前記セットにおける符号化パラメータ候補の数が前記一定数であるように補助符号化パラメータ候補とともに符号化パラメータ候補の前記セットを完了することをさらに含むことを特徴とする、方法。
【請求項１１】
前記補助符号化パラメータ候補が、時間的に隣接し前に符号化された画像の時間的に隣接するパーティションのパラメータを含むことを特徴とする、請求項１０に記載の方法。
【請求項１２】
前記方法は、前記サポートされた分割パターンのうちの前記シグナリングされた１つが、２つの更なるブロックへの前記ブロックの細分化を特定する場合に、符号化順で前記更なるブロックのうちの２番目の更なるブロックに関して、前記２番目の更なるブロックについての符号化パラメータ候補の前記セットから、符号化順で前記更なるブロックのうちの前記１番目の更なるブロックと関連した符号化パラメータと同じである符号化パラメータを有する符号化パラメータ候補を除くことを含むことを特徴とする、請求項１０または１１に記載の方法。
【請求項１３】
ビットストリーム（３０）に画像（２０）を符号化するように構成される符号化器（１０）であって、前記符号化器は、
現在ブロック（４０）のためのサポートされた分割パターンのうちの１つをビットストリーム（３０）の中でシグナリングし、
前記サポートされた分割パターンのうちの前記シグナリングされた１つが、２つ以上の更なるブロック（５０、６０）への前記現在ブロック（４０）の細分化を特定する場合、
符号化順（７０）で前記更なるブロックのうちの１番目の更なるブロック（５０）以外の全ての更なるブロック（６０）に関して、
前記各更なるブロック（６０）のための符号化パラメータ候補のセットから、
前記各更なるブロックと統合されるときに、前記サポートされた分割パターンのうちの１つとなるであろう前記更なるブロックのいずれかと関連した符号化パラメータと同じである符号化パラメータを有する符号化パラメータ候補を除くように構成され、
前記符号化器は、前記各更なるブロックに隣接し、前記現在ブロックの外側および内側に位置する、前に復号されたブロックと関連した前記符号化パラメータに、少なくとも部分的に、基づいて、それぞれ、前記各更なるブロックについての符号化パラメータ候補の前記セットを決定し、かつ、符号化パラメータ候補の一定数が、前記決定により到達しない場合、符号化パラメータ候補の前記セットにおける符号化パラメータ候補の数が前記一定数であるように補助符号化パラメータ候補とともに符号化パラメータ候補の前記セットを完了するように構成されることを特徴とする、符号化器。
【請求項１４】
前記符号化器は、前記補助符号化パラメータ候補が、時間的に隣接し前に符号化された画像の時間的に隣接するパーティションのパラメータを含むように構成されていることを特徴とする、請求項１３に記載の符号化器。
【請求項１５】
前記符号化器は、前記サポートされた分割パターンのうちの前記シグナリングされた１つが、２つの更なるブロックへの前記ブロックの細分化を特定する場合に、符号化順で前記更なるブロックのうちの２番目の更なるブロックに関して、前記２番目の更なるブロックについての符号化パラメータ候補の前記セットから、符号化順で前記更なるブロックのうちの前記１番目の更なるブロックと関連した符号化パラメータと同じである符号化パラメータを有する符号化パラメータ候補を除くように構成されることを特徴とする、請求項１３または１４に記載の符号化器。
【請求項１６】
前記画像は、付加情報として深度マップと関連付けられていることを特徴とする、請求項１３に記載の符号化器。
【請求項１７】
情報サンプルの配列は、互いに独立して符号化された前記画像の異なる平面に関連したサンプル配列の１つであることを特徴とする請求項１３に記載の符号化器。
【請求項１８】
画像（２０）の現在ブロック（４０）のためのサポートされた分割パターンのうちの１つをシグナリングするビットストリーム（３０）を復号するための方法であって、前記方法は、
前記サポートされた分割パターンのうちの前記シグナリングされた１つが、２つ以上の更なるブロック（５０、６０）への前記現在ブロック（４０）の細分化を特定する場合、    符号化順（７０）で前記更なるブロックのうちの１番目の更なるブロック以外の全ての更なるブロックに関して、
前記各更なるブロック（６０）についての符号化パラメータ候補のセットから、
前記各更なるブロック（６０）と統合されるときに、前記サポートされた分割パターンのうちの１つとなるであろう前記更なるブロックのいずれかと関連した符号化パラメータと同じである符号化パラメータを有する符号化パラメータ候補を除くステップを含み、
前記方法は、前記各更なるブロックに隣接し、前記現在ブロックの外側および内側に位置する、前に復号されたブロックと関連した前記符号化パラメータに、少なくとも部分的に、基づいて、それぞれ、前記各更なるブロックについての符号化パラメータ候補の前記セットを決定し、かつ、符号化パラメータ候補の一定数が、前記決定により到達しない場合、符号化パラメータ候補の前記セットにおける符号化パラメータ候補の数が前記一定数であるように補助符号化パラメータ候補とともに符号化パラメータ候補の前記セットを完了することをさらに含むことを特徴とする、方法。
【請求項１９】
前記補助符号化パラメータ候補が、時間的に隣接し前に符号化された画像の時間的に隣接するパーティションのパラメータを含むことを特徴とする、請求項１８に記載の方法。
【請求項２０】
前記方法は、前記サポートされた分割パターンのうちの前記シグナリングされた１つが、２つの更なるブロックへの前記ブロックの細分化を特定する場合に、符号化順で前記更なるブロックのうちの２番目の更なるブロックに関して、前記２番目の更なるブロックについての符号化パラメータ候補の前記セットから、符号化順で前記更なるブロックのうちの前記１番目の更なるブロックと関連した符号化パラメータと同じである符号化パラメータを有する符号化パラメータ候補を除くことを含むことを特徴とする、請求項１８または請求項１９に記載の方法。
【請求項２１】
ビットストリーム（３０）に画像（２０）を符号化するための方法であって、現在ブロック（４０）のためのサポートされた分割パターンのうちの１つをビットストリーム（３０）の中でシグナリングし、
前記サポートされた分割パターンのうちの前記シグナリングされた１つが、２つ以上の更なるブロック（５０、６０）への前記現在ブロック（４０）の細分化を特定する場合、
符号化順（７０）で前記更なるブロックのうちの１番目の更なるブロック（５０）以外の全ての更なるブロック（６０）に関して、
前記各更なるブロック（６０）のための符号化パラメータ候補のセットから、
前記各更なるブロックと統合されるときに、前記サポートされた分割パターンのうちの１つとなるであろう前記更なるブロックのいずれかと関連した符号化パラメータと同じである符号化パラメータを有する符号化パラメータ候補を除き、
前記各更なるブロックに隣接し、前記現在ブロックの外側および内側に位置する、前に復号されたブロックと関連した前記符号化パラメータに、少なくとも部分的に、基づいて、それぞれ、前記各更なるブロックについての符号化パラメータ候補の前記セットを決定し、かつ、符号化パラメータ候補の一定数が、前記決定により到達しない場合、符号化パラメータ候補の前記セットにおける符号化パラメータ候補の数が前記一定数であるように補助符号化パラメータ候補とともに符号化パラメータ候補の前記セットを完了する方法により符号化されたことを特徴とするデータストリーム。
【請求項２２】
前記画像は、付加情報として深度マップと関連付けられていることを特徴とする、請求項２１に記載のデータストリーム。
【請求項２３】
情報サンプルの配列は、互いに独立して符号化された前記画像の異なる平面に関連したサンプル配列の１つであることを特徴とする請求項２１に記載のデータストリーム。